(57)【要約】      （修正有）【課題】電界内の電磁波テスターを提供する。【解決手段】電界内の電磁波テスター１は、ケース１０と、磁場電磁波検知ユニット２０と、押圧入力用ユニット３０とを含み、該押圧入力用ユニットが、機能選択ボタン３１と、読み取り値ロック／確定ボタン３２と、カタログ入りボタン３３と、バックライト／選択ボタン３４と、電源ボタン３５とを含み、該機能選択ボタンが該電界内の電磁波テスターの選択／行スキップ制御モードに対応され、該読み取り値ロック／確定ボタンが該電界内の電磁波テスターのロック／確定／ページめくり制御モードに対応され、該カタログ入りボタンが該電界内の電磁波テスターのカタログ制御モードに対応され、該バックライト／選択ボタンが該電界内の電磁波テスターのディスプレイ輝度制御モードに対応され、これにより、市場の要求需要をより満たさせ、もっと市場競争力を有させることができる。【選択図】図３
0003232791.tif 000002
【実用新案登録請求の範囲】
【請求項１】
ケースと、磁場電磁波検知ユニットと、押圧入力用ユニットとを含む電界内の電磁波テスターにおいて、
該ケースの１つの側面に表示ディスプレイが設けられ、該表示ディスプレイが複数のビデオ画面を生成するように形成され、該ケースの内に制御回路が設けられ、
該磁場電磁波検知ユニットが、該ケースの内に設けられて該制御回路に電気的に接続され、該磁場電磁波検知ユニットが磁場電磁波を検知するように使用され、検知信号を生成して該制御回路に送信し、該制御回路が該検知信号に基づいて計算を行い、その計算結果を該表示ディスプレイに表示させ、
該押圧入力用ユニットが、該ケースに設けられて該制御回路に電気的に接続され、該押圧入力用ユニットが押されると信号を出力し、押された該押圧入力用ユニットより生成した該信号に応答するように、該制御回路に各の該ビデオ画面を選択的に制御することを形成させ、該表示ディスプレイに表示される複数の表示モードを生成させ、
該押圧入力用ユニットが、機能選択ボタンと、読み取り値ロック／確定ボタンと、カタログ入りボタンと、バックライト／選択ボタンと、電源ボタンとを含み、
該機能選択ボタンが該電界内の電磁波テスターの選択／行スキップ制御モードに対応され、該読み取り値ロック／確定ボタンが該電界内の電磁波テスターのロック／確定／ページめくり制御モードに対応され、該カタログ入りボタンが該電界内の電磁波テスターのカタログ制御モードに対応され、該バックライト／選択ボタンが該電界内の電磁波テスターのディスプレイ輝度制御モードに対応され、該電源ボタン該電界内の電磁波テスターのスイッチ制御モードに対応される電界内の電磁波テスター。
【請求項２】
該ケースの内に、さらに電池コンテナが設けられ、該電池コンテナが該ケースの表面に形成される開口と電池カバーを有し、該電池カバーが取り外し可能に該電池コンテナの該開口に取り付けられることを特徴とする請求項１に記載の電界内の電磁波テスター。
【請求項３】
複数の該ビデオ画面が、データロック（ＨＯＬＤ）表示、自動電源オフ表示、ブザー表示、電池残容量表示、電界Ｖ／ｍ単位表示、危険レベルアナログ表示、危険レベルブロック（緑色、黄色、及び赤色で区分される）表示、履歴表示、バックライトボタン表示、メニュー（Ｍｅｎｕ）ボタン表示、ロック/Ｅｎｔｅｒボタン表示、マイクロテスラ（μＴ）及びミリガウス（mＧ）単位表示、低周波電磁波Ｘ・Ｙ・Ｚ三軸の個別値表示又は無線電磁波ｍＶ／ｍ・Ｗ／ｍ２・μＷ／ｍ２・ｄＢ単位表示を含むことを特徴とする請求項１に記載の電界内の電磁波テスター。
【請求項４】
該制御回路がレベル１選択画面、レベル２選択画面、又はレベル３選択画面に、さらに該表示ディスプレイに選択的に選択肢確認画面、カタログ選択肢画面、選択肢選択画面、又は輝度調節画面を表示するように形成され、該選択肢確認画面が該読み取り値ロック／確定ボタンに対応され、該カタログ選択肢画面が該カタログ入りボタンに対応され、該選択肢選択画面が該バックライト／選択ボタンに対応され、該輝度調節画面が該バックライト／選択ボタンに対応されることを特徴とする請求項１に記載の電界内の電磁波テスター。
【請求項５】
該磁場電磁波検知ユニットが第一センサーと第二センサーを含み、該第一センサーが該ケースの内部の上面の近くに配置され、低周波電磁波を測定するようにされ、該第二センサーが該ケースの内部の右側の上部の近くに配置され、高周波電磁波と低周波電磁波を測定するようにされることを特徴とする請求項１に記載の電界内の電磁波テスター。
【請求項６】
該電源ボタンを長押しすると、該電界内の電磁波テスターの電源がオンになり、該電界内の電磁波テスターの電源がオンになる状態で該電源ボタンを約３秒間に長押しすると、該電界内の電磁波テスターの電源がオフになってシャットダウン状態となることを特徴とする請求項１に記載の電界内の電磁波テスター。
【請求項７】
該レベル１選択画面の使用中に該バックライト／選択ボタンを押すと、該表示ディスプレイの輝度が低輝度モードを呈され、上記の低輝度モードで該バックライト／選択ボタンを押すと、該表示ディスプレイの輝度が中輝度モードを呈され、上記の中輝度モードで該バックライト／選択ボタンを押すと、該表示ディスプレイの輝度が最大輝度モードを呈されることを特徴とする請求項４に記載の電界内の電磁波テスター。
【請求項８】
該レベル１選択画面の使用中に該カタログ選択肢画面を押すと、該表示ディスプレイの該レベル１選択画面から該レベル２選択画面に入り、該レベル２選択画面が一列に三つの選択肢画面と一欄に七つの選択肢画面とを表示され、三つの選択肢画面のそれぞれが該選択肢確認画面、該カタログ選択肢画面、及び該選択肢選択画面であり、一欄に七つの選択肢画面のそれぞれが磁場単位設定画面、無線電磁波単位設定画面、言語設定画面、電源オフ時間設定画面、サウンド設定画面、及びバージョン情報画面であることを特徴とする請求項４に記載の電界内の電磁波テスター。
【請求項９】
該磁場単位設定画面が選択／確認されると、該表示ディスプレイの該レベル２選択画面から該レベル３選択画面に入り、該レベル３選択画面が二つの選択肢画面を含み、それぞれがミリガウスｍＧとマイクロテラスμＴの単位であり、このとき、該機能選択ボタンによってそれぞれに上記のミリガウスｍＧとマイクロテラスμＴの単位の選択肢画面のいずれかを選択した後、該読み取り値ロックオン／確定ボタンによって確認を行うことを特徴とする請求項８に記載の電界内の電磁波テスター。
【請求項１０】
該無線電磁波単位設定画面が選択／確認されると、該表示ディスプレイの該レベル２選択画面から該レベル３選択画面に入り、該レベル３選択画面が五つの選択肢画面を含み、それぞれがμＷ／ｍ２〜ｍＷ／ｍ２、μＷ／ｃｍ２、ｍＶ／ｍ〜Ｖ／ｍ、ｍＡ／ｍ、及びｄＢｍの単位であり、このとき、該機能選択ボタンによってそれぞれに上記のμＷ／ｍ２〜ｍＷ／ｍ２、μＷ／ｃｍ２、ｍＶ／ｍ〜Ｖ／ｍ、ｍＡ／ｍ、及びｄＢｍの単位の選択肢画面のいずれかを選択した後、該読み取り値ロックオン／確定ボタンによって確認を行うことを特徴とする請求項８に記載の電界内の電磁波テスター。
【請求項１１】
該言語設定画面が選択／確認されると、該表示ディスプレイの該レベル２選択画面から該レベル３選択画面に入り、該レベル３選択画面が五つの選択肢画面を含み、それぞれが英語（Ｅｎｇｌｉｓｈ）、繁体字中国語、簡体字中国語、日本語、及びスペイン語（Ｅｓｐａｎｏｌ）であり、このとき、該機能選択ボタンによってそれぞれに上記の英語（Ｅｎｇｌｉｓｈ）、繁体字中国語、簡体字中国語、日本語、及びスペイン語（Ｅｓｐａｎｏｌ）の選択肢画面のいずれかを選択した後、該読み取り値ロックオン／確定ボタンによって確認を行うことを特徴とする請求項８に記載の電界内の電磁波テスター。
【請求項１２】
該電源オフ時間設定画面が選択／確認されると、該表示ディスプレイの該レベル２選択画面から該レベル３選択画面に入り、該レベル３選択画面が七つの選択肢画面を含み、それぞれが電源オフしない、１分、３分、５分、１０分、１５分、及び３０分であり、このとき、該機能選択ボタンによってそれぞれに上記の電源オフしない、１分、３分、５分、１０分、１５分、及び３０分の選択肢画面のいずれかを選択した後、該読み取り値ロックオン／確定ボタンによって確認を行うことを特徴とする請求項８に記載の電界内の電磁波テスター。
【請求項１３】
サウンド設定画面が選択／確認されると、該表示ディスプレイの該レベル２選択画面から該レベル３選択画面に入り、該レベル３選択画面が二つの選択肢画面を含み、それぞれがキー音と警告音であり、このとき、該機能選択ボタンによってそれぞれに上記のキー音と警告音の選択肢画面のいずれかを選択した後、該読み取り値ロックオン／確定ボタンによって確認を行うことを特徴とする請求項８に記載の電界内の電磁波テスター。
【請求項１４】
バージョン情報画面が選択／確認されると、該表示ディスプレイの該レベル２選択画面から該レベル３選択画面に入り、該電界内の電磁波テスターの使用したソフトウェアバージョンを表示されることを特徴とする請求項８に記載の電界内の電磁波テスター。
【考案の詳細な説明】
【技術分野】
【０００１】
本考案は、テスターに関し、特に電界内の電磁波テスターに関する。
【背景技術】
【０００２】
従来の電磁波検出装置に関し、その目的が携帯に便利でリアルタイムに電磁波情報を表示可能であるものを提供し、検出された電磁波に関する情報を使用者が簡単かつリアルタイムに知からせ、検出された電磁波の効果を速やかに検出と分析することを達するようにする。しかしながら、従来の技術としてＴＷＭ５０４２４６のように、ボタンが三つであり、各の単一のボタンでより多くの操作機能を担当するため、使用者が、各の単一のボタンを通じて機能的な操作を選択又は切り替えることにより多くの時間を費やす必要があり、使用にはかなり不便である。
【先行技術文献】
【特許文献】
【０００３】
【特許文献１】特開2019-152501号公報
【考案の概要】
【課題を解決するための手段】
【０００４】
本考案の主な目的は、電界内の電磁波テスターにおいて、押圧入力用ユニットが、機能選択ボタンと、読み取り値ロック／確定ボタンと、カタログ入りボタンと、バックライト／選択ボタンと、電源ボタンとを含み、該機能選択ボタンが該電界内の電磁波テスターの選択／行スキップ制御モードに対応され、該読み取り値ロック／確定ボタンが該電界内の電磁波テスターのロック／確定／ページめくり制御モードに対応され、該カタログ入りボタンが該電界内の電磁波テスターのカタログ制御モードに対応され、該バックライト／選択ボタンが該電界内の電磁波テスターのディスプレイ輝度制御モードに対応され、該電源ボタン該電界内の電磁波テスターのスイッチ制御モードに対応され、多数のショートカットキーを追加され、テスターの様々な機能を明確かつ速やかに実行することを提供させ、試験と設定操作の使用効率を向上させ、従来の技術と比べ、効果的に従来の電界内の電磁波テスターにおいて各の単一のボタンでより多くの操作機能を担当する課題を克服するこよができる電界内の電磁波テスターを提供することである。
【０００５】
上記の目的を達成するために、本考案が提供する電界内の電磁波テスターは、ケースと、磁場電磁波検知ユニットと、押圧入力用ユニットとを含み、該ケースの１つの側面に表示ディスプレイが設けられ、該表示ディスプレイが複数のビデオ画面を生成するように形成され、該ケースの内に制御回路が設けられ、該磁場電磁波検知ユニットが、該ケースの内に設けられて該制御回路に電気的に接続され、該磁場電磁波検知ユニットが磁場電磁波を検知するように使用され、検知信号を生成して該制御回路に送信し、該制御回路が該検知信号に基づいて計算を行い、その計算結果を該表示ディスプレイに表示させ、該押圧入力用ユニットが、該ケースに設けられて該制御回路に電気的に接続され、該押圧入力用ユニットが押されると信号を出力し、押された該押圧入力用ユニットより生成した該信号に応答するように、該制御回路に各の該ビデオ画面を選択的に制御することを形成させ、該表示ディスプレイに表示される複数の表示モードを生成させ、該押圧入力用ユニットが、機能選択ボタンと、読み取り値ロック／確定ボタンと、カタログ入りボタンと、バックライト／選択ボタンと、電源ボタンとを含み、該機能選択ボタンが該電界内の電磁波テスターの選択／行スキップ制御モードに対応され、該読み取り値ロック／確定ボタンが該電界内の電磁波テスターのロック／確定／ページめくり制御モードに対応され、該カタログ入りボタンが該電界内の電磁波テスターのカタログ制御モードに対応され、該バックライト／選択ボタンが該電界内の電磁波テスターのディスプレイ輝度制御モードに対応され、該電源ボタン該電界内の電磁波テスターのスイッチ制御モードに対応され、市場の要求需要をより満たさせ、もっと市場競争力を有させることができる。
【図面の簡単な説明】
【０００６】
【図１】本考案に係る電界内の電磁波テスターの１つの実施形態の正面の平面を示す図である。
【図２】図１の背面を示す図である。
【図３】本考案に係る電界内の電磁波テスターのブロック図である。
【図４−１】本考案に係る電界内の電磁波テスターのレベル１選択画面を示す図である。
【図４−２】本考案に係る電界内の電磁波テスターのレベル１選択画面を示す図である。
【図４−３】本考案に係る電界内の電磁波テスターのレベル１選択画面を示す図である。面を示す図である。
【図５−１】本考案に係る電界内の電磁波テスターのレベル２選択画面を示す図である。
【図５−２】本考案に係る電界内の電磁波テスターのレベル２選択画面を示す図である。
【図５−３】本考案に係る電界内の電磁波テスターのレベル２選択画面を示す図である。
【図５−４】本考案に係る電界内の電磁波テスターのレベル２選択画面を示す図である。
【図５−５】本考案に係る電界内の電磁波テスターのレベル２選択画面を示す図である。
【図５−６】本考案に係る電界内の電磁波テスターのレベル２選択画面を示す図である。
【図６−１】本考案に係る電界内の電磁波テスターのレベル３選択画面における磁場単位設定画面を示す図である。
【図６−２】本考案に係る電界内の電磁波テスターのレベル３選択画
【図７−１】本考案に係る電界内の電磁波テスターのレベル３選択画面における無線電磁波単位設定画面を示す図である。
【図７−２】本考案に係る電界内の電磁波テスターのレベル３選択画面における無線電磁波単位設定画面を示す図である。
【図７−３】本考案に係る電界内の電磁波テスターのレベル３選択画面における無線電磁波単位設定画面を示す図である。
【図７−４】本考案に係る電界内の電磁波テスターのレベル３選択画面における無線電磁波単位設定画面を示す図である。
【図７−５】本考案に係る電界内の電磁波テスターのレベル３選択画面における無線電磁波単位設定画面を示す図である。
【図８−１】本考案に係る電界内の電磁波テスターのレベル３選択画面における言語設定画面を示す図である。
【図８−２】本考案に係る電界内の電磁波テスターのレベル３選択画面における言語設定画面を示す図である。
【図８−３】本考案に係る電界内の電磁波テスターのレベル３選択画面における言語設定画面を示す図である。
【図８−４】本考案に係る電界内の電磁波テスターのレベル３選択画面における言語設定画面を示す図である。
【図８−５】本考案に係る電界内の電磁波テスターのレベル３選択画面における言語設定画面を示す図である。
【図９−１】本考案に係る電界内の電磁波テスターのレベル３選択画面における電源オフ時間設定画面を示す図である。
【図９−２】本考案に係る電界内の電磁波テスターのレベル３選択画面における電源オフ時間設定画面を示す図である。
【図９−３】本考案に係る電界内の電磁波テスターのレベル３選択画面における電源オフ時間設定画面を示す図である。
【図９−４】本考案に係る電界内の電磁波テスターのレベル３選択画面における電源オフ時間設定画面を示す図である。
【図９−５】本考案に係る電界内の電磁波テスターのレベル３選択画面における電源オフ時間設定画面を示す図である。
【図９−６】本考案に係る電界内の電磁波テスターのレベル３選択画面における電源オフ時間設定画面を示す図である。
【図９−７】本考案に係る電界内の電磁波テスターのレベル３選択画面における電源オフ時間設定画面を示す図である。
【図１０−１】本考案に係る電界内の電磁波テスターのレベル３選択画面におけるサウンド設定画面を示す図である。
【図１０−２】本考案に係る電界内の電磁波テスターのレベル３選択画面におけるサウンド設定画面を示す図である。
【図１１】本考案に係る電界内の電磁波テスターのレベル３選択画面におけるバージョン情報画面を示す図である。
【考案を実施するための形態】
【０００７】
図１〜３を参照し、本考案が提供する電界内の電磁波テスター１は、ケース１０と、磁場電磁波検知ユニット２０と、押圧入力用ユニット３０とを含む。該ケース１０の１つの側面に表示ディスプレイ１１が設けられ、該表示ディスプレイ１１が複数のビデオ画面１２を生成するように形成され、該ケース１０の内に制御回路１３が設けられるがその位置が制限されない。複数の該ビデオ画面１２が、データロック（ＨＯＬＤ）表示、自動電源オフ表示、ブザー表示、電池残容量表示、電界Ｖ／ｍ単位表示、危険レベルアナログ表示、危険レベルブロック（緑色、黄色、及び赤色で区分される）表示、履歴表示、バックライトボタン表示、メニュー（Ｍｅｎｕ）ボタン表示、ロック/Ｅｎｔｅｒボタン表示、マイクロテスラ（μＴ）及びミリガウス（mＧ）単位表示、低周波電磁波Ｘ・Ｙ・Ｚ三軸の個別値表示又は無線電磁波ｍＶ／ｍ・Ｗ／ｍ２・μＷ／ｍ２・ｄＢ単位表示を含むが、これらに限定されない。該ケース１０の左側と右側の両側には、使用者が便利につかませるように、さらに滑り止め部１４が設けられる。
【０００８】
該磁場電磁波検知ユニット２０が、該ケース１０の内に設けられて該制御回路１３に電気的に接続され、該磁場電磁波検知ユニット２０が磁場電磁波を検知するように使用され、検知信号２１を生成して該制御回路１３に送信し、該制御回路１３が該検知信号２１に基づいて計算を行い、その計算結果を図３に示すように該表示ディスプレイ１１に表示させる。
【０００９】
該押圧入力用ユニット３０が、該ケース１０に設けられて該制御回路１３に電気的に接続され、該押圧入力用ユニット３０が押されると信号３６を出力し、押された該押圧入力用ユニット３０より生成した該信号３６に応答するように、該制御回路１３に各の該ビデオ画面１２を選択的に制御することを形成させ、該表示ディスプレイ１１に表示される複数の表示モードを生成させる。
【００１０】
該押圧入力用ユニット３０が、機能選択ボタン３１と、読み取り値ロック／確定ボタン３２と、カタログ入りボタン３３と、バックライト／選択ボタン３４と、電源ボタン３５とを含む。
【００１１】
該機能選択ボタン３１が該電界内の電磁波テスター１の選択／行スキップ制御モードに対応され、該読み取り値ロック／確定ボタン３２が該電界内の電磁波テスター１のロック／確定／ページめくり制御モードに対応され、該カタログ入りボタン３３が該電界内の電磁波テスター１のカタログ制御モードに対応され、該バックライト／選択ボタン３４が該電界内の電磁波テスター１のディスプレイ輝度制御モードに対応され、該電源ボタン３５該電界内の電磁波テスター１のスイッチ制御モードに対応される。
【００１２】
該ケース１０の内に、さらに電池コンテナ１５が設けられるがこれに限定されず、該電池コンテナ１５が該ケース１０の表面に形成される開口１６と電池カバー１７を有し、該電池カバー１７が取り外し可能に該電池コンテナ１５の該開口１６に取り付けられる。
【００１３】
図１と３を参照し、該磁場電磁波検知ユニット２０が第一センサー２２と第二センサー２３を含むが、これらに限定されず、該第一センサー２２が該ケース１０の内部の上面の近くに配置され、低周波電磁波を測定するようにされるがこれに限定されず、該第二センサー２３が該ケース１０の内部の右側の上部の近くに配置され、高周波電磁波と低周波電磁波を測定するようにされるがこれに限定されず、同一の装置上で低周波電界、低周波電磁波、及び高周波電磁波をテストする機能を具有するようにさせ、このような組成構造により試験の使用機能を向上させることができる。
【００１４】
図４−１〜１１を参照し、該制御回路１３がレベル１選択画面１２１、レベル２選択画面１２２、又はレベル３選択画面１２３に、さらに該表示ディスプレイ１１に選択的に選択肢確認画面１３１、カタログ選択肢画面１３２、選択肢選択画面１３３、又は輝度調節画面１３４を表示するように形成されるが、これらに限定されず、該選択肢確認画面１３１が該読み取り値ロック／確定ボタン３２に対応され、該カタログ選択肢画面１３２が該カタログ入りボタンに対応され、該選択肢選択画面１３３が該バックライト／選択ボタン３４に対応され、該輝度調節画面１３４が該バックライト／選択ボタン３４に対応される。
【００１５】
図１、３〜１１に示すように、該電界内の電磁波テスター１の使用状態は以下のとおりであるが、これに限定されない。
【００１６】
図１、４−１〜４−３を参照し、該電源ボタン３５を長押しすると、該電界内の電磁波テスター１の電源がオンになって該レベル１選択画面１２１へ入り、該電界内の電磁波テスター１の電源がオンになる状態で該電源ボタン３５を約３秒間に長押しすると、該電界内の電磁波テスター１の電源がオフになってシャットダウン状態となる。
【００１７】
図１、３〜４−３を参照し、該レベル１選択画面１２１の使用中に該バックライト／選択ボタン３４を押すと、該表示ディスプレイ１１の輝度が低輝度モードを呈され、上記の低輝度モードで該バックライト／選択ボタン３４を押すと、該表示ディスプレイ１１の輝度が中輝度モードを呈され、上記の中輝度モードで該バックライト／選択ボタン３４を押すと、該表示ディスプレイ１１の輝度が最大輝度モードを呈される。
【００１８】
図１、３〜４−３を参照し、該レベル１選択画面１２１の使用中に該読み取り値ロック／確定ボタン３２を押すと、すべての読み取り値をロックすることができ、ロックされたデータを解除しようとする場合は、該読み取り値ロック／確定ボタン３２を再び押すと解除することができる。
【００１９】
図１、３〜５−６を参照し、該レベル１選択画面１２１の使用中に該カタログ選択肢画面１３２を押すと、該表示ディスプレイ１１の該レベル１選択画面１２１から該レベル２選択画面１２２に入り、該レベル２選択画面１２２が一列に三つの選択肢画面と一欄に七つの選択肢画面とを表示され、三つの選択肢画面のそれぞれが該選択肢確認画面１３１、該カタログ選択肢画面１３２、及び該選択肢選択画面１３３であり、一欄に七つの選択肢画面のそれぞれが磁場単位設定画面１２４、無線電磁波単位設定画面１２５、言語設定画面１２６、電源オフ時間設定画面１２７、サウンド設定画面１２８、及び使用者の選択／確認のためのバージョン情報画面１２９である。
【００２０】
図１、３、６−１及び６−２を参照し、該磁場単位設定画面１２４が選択／確認されると、該表示ディスプレイ１１の該レベル２選択画面１２２から該レベル３選択画面１２３に入り、該レベル３選択画面１２３が二つの選択肢画面を含み、それぞれがミリガウスｍＧとマイクロテラスμＴの単位であり、このとき、該機能選択ボタン３１によってそれぞれに上記のミリガウスｍＧとマイクロテラスμＴの単位の選択肢画面のいずれかを選択した後、該読み取り値ロックオン／確定ボタン３２によって確認を行うことができる。
【００２１】
図１、３、７−１〜７−５を参照し、該無線電磁波単位設定画面１２５が選択／確認されると、該表示ディスプレイ１１の該レベル２選択画面１２２から該レベル３選択画面１２３に入り、該レベル３選択画面１２３が五つの選択肢画面を含み、それぞれがμＷ／ｍ２〜ｍＷ／ｍ２、μＷ／ｃｍ２、ｍＶ／ｍ〜Ｖ／ｍ、ｍＡ／ｍ、及びｄＢｍの単位であり、このとき、該機能選択ボタン３１によってそれぞれに上記のμＷ／ｍ２〜ｍＷ／ｍ２、μＷ／ｃｍ２、ｍＶ／ｍ〜Ｖ／ｍ、ｍＡ／ｍ、及びｄＢｍの単位の選択肢画面のいずれかを選択した後、該読み取り値ロックオン／確定ボタン３２によって確認を行うことができる。
【００２２】
図１、３、８−１〜８−５を参照し、該言語設定画面１２６が選択／確認されると、該表示ディスプレイ１１の該レベル２選択画面１２２から該レベル３選択画面１２３に入り、該レベル３選択画面１２３が五つの選択肢画面を含み、それぞれが英語（Ｅｎｇｌｉｓｈ）、繁体字中国語、簡体字中国語、日本語、及びスペイン語（Ｅｓｐａｎｏｌ）であり、このとき、該機能選択ボタン３１によってそれぞれに上記の英語（Ｅｎｇｌｉｓｈ）、繁体字中国語、簡体字中国語、日本語、及びスペイン語（Ｅｓｐａｎｏｌ）の選択肢画面のいずれかを選択した後、該読み取り値ロックオン／確定ボタン３２によって確認を行うことができる。
【００２３】
図１、３、９−１〜９−７を参照し、該電源オフ時間設定画面１２７が選択／確認されると、該表示ディスプレイ１１の該レベル２選択画面１２２から該レベル３選択画面１２３に入り、該レベル３選択画面１２３が七つの選択肢画面を含み、それぞれが電源オフしない、１分、３分、５分、１０分、１５分、及び３０分であり、このとき、該機能選択ボタン３１によってそれぞれに上記の電源オフしない、１分、３分、５分、１０分、１５分、及び３０分の選択肢画面のいずれかを選択した後、該読み取り値ロックオン／確定ボタン３２によって確認を行うことができる。
【００２４】
図１、３、１０−１、及び１０−２を参照し、サウンド設定画面１２８が選択／確認されると、該表示ディスプレイ１１の該レベル２選択画面１２２から該レベル３選択画面１２３に入り、該レベル３選択画面１２３が二つの選択肢画面を含み、それぞれがキー音と警告音であり、このとき、該機能選択ボタン３１によってそれぞれに上記のキー音と警告音の選択肢画面のいずれかを選択した後、該読み取り値ロックオン／確定ボタン３２によって確認を行うことができる。
【００２５】
図１、３、図１１を参照し、バージョン情報画面１２９が選択／確認されると、該表示ディスプレイ１１の該レベル２選択画面１２２から該レベル３選択画面１２３に入り、該電界内の電磁波テスター１の使用したソフトウェアバージョンを表示される。
【００２６】
この実施形態では、該読み取り値ロック／確定ボタン３２を押すことにより、該表示ディスプレイ１１での該ビデオ画面１２を、該読み取り値ロック／確定ボタン３２を押すたびに上層の該ビデオ画面１２に戻させる。
【００２７】
本考案が従来の技術と比べ、次の利点がある。
【００２８】
本考案の該押圧入力用ユニット３０は、該機能選択ボタン３１、該読み取り値ロックオン／確定ボタン３２、該カタログ入りボタン３３、該バックライト／選択ボタン３４、及び該電源ボタン３５を含み、該機能選択ボタン３１が該電界内の電磁波テスター１の選択／行スキップ制御モードに対応され、該読み取り値ロック／確定ボタン３２が該電界内の電磁波テスター１のロック／確定／ページめくり制御モードに対応され、該カタログ入りボタン３３が該電界内の電磁波テスター１のカタログ制御モードに対応され、該バックライト／選択ボタン３４が該電界内の電磁波テスター１のディスプレイ輝度制御モードに対応され、該電源ボタン３５該電界内の電磁波テスター１のスイッチ制御モードに対応されるため、本考案には多数のショートカットキーを追加され、テスターの様々な機能を明確かつ速やかに実行することを提供させ、試験と設定操作の使用効率を向上させ、市場の要求需要をより満たさせ、もっと市場競争力を有させることができる。
【００２９】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３０】
１  電界内の電磁波テスター
１０  ケース
１１  表示ディスプレイ
１２  ビデオ画面
１２１  レベル１選択画面
１２２  レベル２選択画面
１２３  レベル３選択画面
１２４  磁場単位設定画面
１２５  無線電磁波単位設定画面
１２６  言語設定画面
１２７  電源オフ時間設定画面
１２８  サウンド設定画面
１２９  バージョン情報画面
１３  制御回路
１３１  選択肢確認画面
１３２  カタログ選択肢画面
１３３  選択肢選択画面
１３４  輝度調節画面
１４  滑り止め部
１５  電池コンテナ
１６  開口
１７  電池カバー
２０  磁場電磁波検知ユニット
２１  検知信号
２２  第一センサー
２３  第二センサー
３０  押圧入力用ユニット
３１  機能選択ボタン
３２  読み取り値ロックオン／確定ボタン
３３  カタログ入りボタン
３４  バックライト／選択ボタン
３５  電源ボタン
３６  信号
【図１】
0003232791.tif 000003
【図２】
0003232791.tif 000004
【図３】
0003232791.tif 000005
【図４−１】
0003232791.tif 000006
【図４−２】
0003232791.tif 000007
【図４−３】
0003232791.tif 000008
【図５−１】
0003232791.tif 000009
【図５−２】
0003232791.tif 000010
【図５−３】
0003232791.tif 000011
【図５−４】
0003232791.tif 000012
【図５−５】
0003232791.tif 000013
【図５−６】
0003232791.tif 000014
【図６−１】
0003232791.tif 000015
【図６−２】
0003232791.tif 000016
【図７−１】
0003232791.tif 000017
【図７−２】
0003232791.tif 000018
【図７−３】
0003232791.tif 000019
【図７−４】
0003232791.tif 000020
【図７−５】
0003232791.tif 000021
【図８−１】
0003232791.tif 000022
【図８−２】
0003232791.tif 000023
【図８−３】
0003232791.tif 000024
【図８−４】
0003232791.tif 000025
【図８−５】
0003232791.tif 000026
【図９−１】
0003232791.tif 000027
【図９−２】
0003232791.tif 000028
【図９−３】
0003232791.tif 000029
【図９−４】
0003232791.tif 000030
【図９−５】
0003232791.tif 000031
【図９−６】
0003232791.tif 000032
【図９−７】
0003232791.tif 000033
【図１０−１】
0003232791.tif 000034
【図１０−２】
0003232791.tif 000035
【図１１】
0003232791.tif 000036
【手続補正書】
【提出日】令和3年5月6日(2021.5.6)
【手続補正１】
【補正対象書類名】実用新案登録請求の範囲
【補正対象項目名】請求項１
【補正方法】変更
【補正の内容】
【請求項１】
ケースと、磁場電磁波検知ユニットと、押圧入力用ユニットとを含む電界内の電磁波テスターにおいて、
該ケースの１つの側面に表示ディスプレイが設けられ、該表示ディスプレイが複数のビデオ画面を生成するように形成され、該ケースの内に制御回路が設けられ、
該磁場電磁波検知ユニットが、該ケースの内に設けられて該制御回路に電気的に接続され、該磁場電磁波検知ユニットが磁場電磁波を検知するように使用され、検知信号を生成して該制御回路に送信し、該制御回路が該検知信号に基づいて計算を行い、その計算結果を該表示ディスプレイに表示させ、
該押圧入力用ユニットが、該ケースに設けられて該制御回路に電気的に接続され、該押圧入力用ユニットが押されると信号を出力し、押された該押圧入力用ユニットより生成した該信号に応答するように、該制御回路に上記複数のビデオ画面を選択的に制御することを形成させ、該表示ディスプレイに表示される複数の表示モードを生成させ、
該押圧入力用ユニットが、機能選択ボタンと、読み取り値ロック／確定ボタンと、カタログ入りボタンと、バックライト／選択ボタンと、電源ボタンとを含み、
該機能選択ボタンが該電界内の電磁波テスターの選択／行スキップ制御モードに対応され、該読み取り値ロック／確定ボタンが該電界内の電磁波テスターのロック／確定／ページめくり制御モードに対応され、該カタログ入りボタンが該電界内の電磁波テスターのカタログ制御モードに対応され、該バックライト／選択ボタンが該電界内の電磁波テスターのディスプレイ輝度制御モードに対応され、該電源ボタンが該電界内の電磁波テスターのスイッチ制御モードに対応される電界内の電磁波テスター。